(57)【要約】スナック及び他の腐敗しやすい食品用の改善された容器であって、単純な構造及び多機能のキャップを有する。入れ物部分はブロー成形されたプラスチックであり、更に収縮包装のグラフィックス保持物から成る外層が入れ物とキャップに貼り付けられる。多機能のキャップは容器の開口端に重なって開口端を密封し、容器の口にボウルとしてはめ込まれる為に反転され、容器が使用される間は保管の為に容器の底面に重なる。
2004510639.tif 000002
【特許請求の範囲】
【請求項１】
第１の端と第２の端とを備える入れ物と、
前記入れ物の上に配置された取り外し可能なキャップと、
前記入れ物及び前記キャップを包む外層と、
前記取り外し可能なキャップが前記第１の端及び第２の端に装着可能である食品容器。
【請求項２】
前記外層が視覚的表示物を含む請求項１に記載の容器。
【請求項３】
前記容器に取り付けられ前記容器を密封する商品保持用ボウルとして前記キャップが使用できるように前記キャップが前記入れ物の第１の端にはめ込み可能な請求項１に記載の容器。
【請求項４】
前記入れ物の第１の端が取り外し可能なシールを有する請求項１に記載の容器。
【請求項５】
前記入れ物及び前記外層が重ね合わされた際に、入れ物及び外層が相補的な酸素バリア特性及び湿度バリア特性を備える請求項１に記載の容器。
【請求項６】
前記入れ物が一般に円筒状をなす請求項１に記載の容器。
【請求項７】
前記容器を使用する消費者による把持が可能になるように、第１の端と第２の端との間において円周方向の若干のくびれを備えるほぼ円筒状の管材にて入れ物が形成されている請求項１に記載の容器。
【請求項８】
前記キャップがカラーを備える請求項１に記載の容器。
【請求項９】
一般に円筒状に形成された側壁と、前記容器への開口を定める第１の端と、前記容器の底面としての役割を果たす第２の端とを備える消耗品容器であって、
前記第１の端に着脱可能に装着されたキャップと、
前記容器を包む薄膜の視覚的表示物とを含み、
前記キャップが、前記第１の端の上おいて反転された際に、第１の端の開口上に配置されて、同第１の端の開口をシールするとともに、カップとして機能する容器。
【請求項１０】
前記カップを保管すべく、前記キャップが第２の端に装着される請求項９に記載の容器。
【請求項１１】
前記容器及び前記薄膜は互いに組み合わされた状態においてる効果的な酸素バリア及び湿度バリアを備える請求項９に記載の容器。
【請求項１２】
前記薄膜状の視覚的表事物が容器及びキャップを覆う伸縮性包装物からなる請求項９に記載の容器。
【請求項１３】
前記容器を使用する消費者が把持できるように、前記第１の端と第２の端との間において円周方向の若干のくびれを更に有する請求項９に記載の容器。
【請求項１４】
積み重ねを容易にしフープ強度を高めるべくキャップがカラーを更に備える請求項９に記載の容器。
【請求項１５】
底面端及び開口端を備えた入れ物本体と、外層と、キャップとを備える食品用容器を製造する方法であって、
ａ）　入れ物本体の開口端及び底面端に対してキャップが装着され得るような形状に入れ物本体を成形する工程と、
ｂ）　前記開口端を介して容器をスナック食品で充填する工程と、
ｃ）　前記開口端を取り外し可能なシールで密封する工程と、
ｄ）　前記密封された開口端上にキャップを重ねて装着する工程と、
ｅ）　前記キャップ及び入れ物を前記外層で包む工程と
を含む方法。
【請求項１６】
前記容器が中凹部の周囲に円周方向における若干のくびれがあるほぼ円筒状の管材にて形成されている請求項１５に記載の方法。
【請求項１７】
前記入れ物本体及び外層が組み合わされるとが効果的なバリア特性を備える請求項１５に記載の方法。
【請求項１８】
前記キャップ及び入れ物本体を外層で収縮包装する工程を工程ｅ）が更に含む請求項１５に記載の方法。
【請求項１９】
前記キャップが開口端に嵌め込まれ得るような形状に入れ物本体を成形し、これにより開口端を密封する手段と食品用ボウルとを提供する工程を、工程ａ）が更に含む請求項１５に記載の方法。
【発明の詳細な説明】
【０００１】
（発明の背景）
１．技術分野
本発明は、食品（消耗品）の保存に適した多機能キャップ付き剛性容器又はキャニスターに関連する。１つの実施の形態では、キャップは容器密閉時には容器の開口端に重ねられ、容器使用中には保管の為に容器の底面端に重ねられる。更に、反転させるとキャップは解放端にはめ込まれるので、ボウルとしての役割を果たす。容器は薄膜のグラフィックス保持物に包まれた成形体で構成される。本発明の１つの実施の形態では、薄膜のグラフィックス保持物は容器にバリア特性を与える。容器は、棚での陳列用に支持なしでも立つ、或いはソフトドリンク自動販売機で販売可能である。
【０００２】
２．関連技術の説明
ポテトチップやトルティーヤチップや他のスナック商品等の消耗品の容器の包装の設計と構造は、往々にして競合する幾つかの因子の検討を要する。検討すべき１つの因子は、容器内に収容されている商品を劣化や微生物による腐敗や物理的な損傷から保護するように容器が設計されなくてはならないことである。理想的には、密閉時の容器を通過する酸素と湿気の移行と商品の露光とを制限又は禁止するバリア特性を容器は備えるべきである。酸素と湿気の容器への移行は商品の賞味期限を早める。また商品劣化を遅らせるには、容器のバリア特性が商品の露光を制限すればよい。商品の破損の制限は、商品を剛性容器内に配置したり、エアクッションを容器内部に備える為に非剛性容器に充分な詰め残し部分を設けたりすることで可能である。
【０００３】
消耗品容器設計について検討すべき別の因子は、容器のマーケティングの側面、即ちプレゼンテーションである。消耗品容器は、容器内に収容されている商品についての興味をそそるプレゼンテーションを提供するべきである。容器が支持なしでも陳列棚に立てられることが多くの場合に望ましい。更に、ブランド認識と包装外観の助けとなる容器に張られるグラフィックス又は容器に埋め込まれるグラフィックスに容器は対応可能でなくてはならない。多くの先行技術の容器は、少なくとも３つの層、一般には更に多くの層から構成され、防湿バリア、酸素バリア、光バリア、グラフィックス保持物からなり、層は全て所望のプレゼンテーションの為に成形されるか形作られる。
【０００４】
容器の特定のバリア特性は保護すべき商品に依存することが多い。例えば、クラッカーなど幾つかの商品は、保護用の酸素バリアを必要としない。同様に、他の商品が防湿バリアと可視光線バリアを必要としない場合もある。その結果、容器は通例、容器内に収容される特定商品を保護する為に必要な最小限のバリア特性のみを備えて設計される。
【０００５】
消耗品容器設計の別の因子は、容器の充填と出荷の経済的側面と効率である。容器は理想的には、容易かつ効率的に生産ラインで商品が充填されるよう構成される。更に、容器は経済的には、出荷コストを最小限に抑える為に箱やクレートに合うべきである。更に、容器への据え付けに先立つ出荷と搬送の為に、容器の個々の構成要素、例えば容器キャップが容易に積み重ねられることが有益な場合もある。
【０００６】
消耗品容器設計の別の設計基準は容器の構成のコストと容易さである。容器に付加された全ての層が付加的な所望のバリア特性を備える場合がある。しかし、全ての層の付加はまた容器構成のコストを押し上げる。概して、安価な容器は、容器の構成に伴う層の材料と材料の量を制限する。
【０００７】
特定消耗品容器の設計は更に、多くの特定用途向け設計基準を備える場合がある。例えば、マーケティングの検討事項に関連して、消費者による使用時に商品の分配又は保持に特に有用であるよう容器を構成することが望ましい場合がある。容器の設計は、容易に開封される上部と、片手で容易に容器を保持できる寸法や形状と、消費者が手で商品を引っ張り出して容器から商品を取り出すのに十分な大きさの開口とを備える場合がある。特定用途向け検討事項の別の例には、従来よりソフトドリンク自動販売機であるものからの消耗品容器の分配がある。「販売可能な」容器と呼ばれる上記容器は、標準的なソフトドリンク自動販売機に容易に詰められ上記販売機より分配できる適切な寸法と重さに設計されなくてはならない。上記寸法は更に、容器を自動車のカップホルダでの使用に適したものにする。
【０００８】
同様に、容器のエルゴノミクスも検討しなくてはならない。容器は片手で容易に握られ保持されるよう設計可能である。幾つかの容器は、商品を容器から消費者の口へとあけて商品を直接食べられるように設計される。
【０００９】
容器の様々な構成要素の有用性もまた重要な設計の検討事項である。容器を密封するキャップは、消費者が食べる為に商品を保持するボウルやカップとしても使用される場合がある。容器自体は、他の機能的な用途を提供したり特定の能力を提供したりする。
【００１０】
上記の項目には全てが含まれているわけではないが、消耗品容器に関する設計の検討事項の典型である。しばしば、上記及び他の設計の検討事項は対立しバランスと妥協が求められる。例えば、特定のマーケティングの外観やプレゼンテーションは、包装効率を低下させたり生産ラインでの充填や構成の難度を高めるので実用的でない場合がある。重く多層の構造は商品保護に理想的なバリア特性を備えるが、構成のコストと複雑さを大きく増大させる。容易に開封される再密封可能な上部などの消費者向けの特徴の付加もまた、製造に複雑さを持ち込み全体的なコストを増大させる。結果として、単純で安価な構造で、棚でのユニークなプレゼンテーションを備え、様々な消費者にとって使いやすい片手操作可能な特徴を備え、経済的で効率的な設計で充分なバリア特性を備える容器を、スナック食品産業はなお開発しなくてはならない。
【００１１】
特に、効率的で単純で経済的な設計で幾つかの機能を果たすキャップ付きの販売可能な消耗品容器は先行技術にはない。取り外し可能キャップ付き容器の多くは、容器を再密封する用途以外には取り外し可能なキャップの機能を何ら備えていない。更に通常は、容器の使用中、取り外し可能なキャップの収容場所が容器には用意されていない。消費者が容器内の食品の一部のみをあけたい場合には、容器から独立した第２のカップやボウルが使用されなくてはならないことがよくある。以上に記載した特徴のうち２つを組み合わせた先行技術の容器は幾つかあるが、販売可能で見栄え良く包装された消費者の片手使用に役に立つ容器設計と共に、容器の上部に配置可能で使用していない時には容器の下部に保管できるカップとしての役割を果たす、食品保存の為に容器密封に使用されるキャップ設計を採用している上記先行技術の容器は１つとしてない。
【００１２】
従って、多機能のキャップを採用した経済的な設計で容易に製造できる消耗品容器が必要とされる。容器は商品の物理的な収納や保護と共に満足のいく適切なバリア特性を備えるべきである。多機能のキャップは、容器の開口端の密封手段としての役割を果たし、使用していない時には容器の下部に保管され、消費者の片手使用の為に容器の上部にはまるカップやボウルとしての役割を果たすべきである。容器は陳列棚に援助なしで立てられる、或いはソフトドリンク自動販売機から分配可能であるべきである。上記設計は、単純で安価に製造でき、包装と充填の効率を備え、消費者にとって直観的に機能的であるべきである。
【００１３】
発明の概要
提案される発明は、多機能のキャップを備え経済的に設計された、スナック及び他の腐敗しやすい食品用の販売可能な容器から成る。１つの実施の形態は一般に円筒状の容器から成り、容器が充填された後に容器の開口端に重ねられた多機能のキャップとキャップ及び容器を包む外膜とを備える。外膜も容器のバリア特性を補完し得る。
【００１４】
本発明は単純で安価に製造でき、内部に収容されている商品を充分に保護し、消費者が容易に使用できる。多機能のキャップは容器を際密封し、容器の上部にはめ込まれた際には商品用のボウルとして使用可能、或いは容器の下部に重ねることで保管可能である。容器は陳列棚に援助なしで立てられる、或いはソフトドリンク自動販売機から分配可能である。本容器は製造の容易さと包装効率と消費者の機能的な用途の点で先行技術より改善されている。
【００１５】
本発明の以上の特徴と利点は付加的な特徴と利点と共に、以下に記載された詳細な記述で明らかになる。
詳細な説明
図１ａ及び図１ｂは円筒状の本発明の実施の形態の透視図を示す。図１ａを参照すると、容器が有するのは、必要な酸素バリア特性及び湿度バリア特性と共に容器の剛性を与える入れ物１００である。入れ物１００はまた、内部に収容されている商品の露光を防ぐ為に不透明でもよい。入れ物１００は一般にブロー成形され、効果的な湿度バリア特性を備える高密度のポリエチレンや、効果的な酸素バリア特性を備えるエチレンビニルアルコールで構成可能である。入れ物の構成に使用される他の適切な材料の例には、ポリエチレンやポリエステルがある。代替の実施の形態では、入れ物１００は多層であったり、効果的な酸素バリア特性及び湿度バリア特性の両方を備える材料で構成されたりし得る。
【００１６】
入れ物１００が有するのは、開口端１０２と、底面端１０４と、若干円周方向にくびれた中央セクション１０６とである。くびれた中央セクション１０６は、１つの実施の形態では、容器の円周の周りにひだ１０８を含む。ひだ１０８は付加的な円周強度を備え、また中央セクション１０６の若干のくびれに向かう先細部分と組み合わさると、消費者にとって便利なハンドグリップを提供する。
【００１７】
入れ物１００の開口端１０２はキャップ１１０を重ねる為に先細である。また開口端１０２の寸法は、キャップ１１０が開口端１０２に置かれるかはめ込まれる場合にキャップ１１０が反転されてカップとしての役割を果たすことができるように作られ、図３を併用して更に詳細に説明される通りである。またキャップ１１０の寸法は、底面端１０４に重なるようになされ、図４に関連して更に説明される通りである。
【００１８】
出願人の発明の容器製造における第１の工程は入れ物１００の構成を伴う。上記構成は一般に選択された材料をブロー成形することにより行われるが、射出成形や、熱形成や、容器製造に使用される他の手段によっても達成され得る。入れ物１００が型から外された後、開口端１０２を介して入れ物１００に投入される商品や消耗品、例えばトウモロコシを主材料にしたスナック食品などが入れ物１００に充填される。入れ物１００が商品で充填された後、当該産業で周知の方法により取り外し可能なシール（参考として図２ａの２２０に示す）が容器の開口端１０２上に固定される。上記取り外し可能なシールは、例えば、熱と圧力シール又は他の手段により固定される金属被覆ポリエステルでもよい。取り外し可能なシールが開口端１０２上に配置されると、キャップ１１０が次に開口端１０２に重ねられる。
【００１９】
図１ｂを参照すると、外層１０２が入れ物１００の一部とキャップ１１０を包んでいる。入れ物１００が備えるより多くのバリア特性を要する代替の実施の形態では、どの外層１１２が付加的な酸素バリア特性や防湿バリア特性や光バリア特性を与える材料であるかの選択は、入れ物１００に使用される材料の選択に依存する。入れ物１００の材料が酸素バリアを与えるなら、選択された外層１１２の材料は防湿バリア特性を与えればよく、逆の場合も同様である。外層１１２は更にグラフィックス保持物としての役割も果たす。一方で、入れ物１００にグラフィックスを埋め込むか入れ物１００にグラフィックスを直接スクリーン印刷することにより、容器は外層１１２を備えずとも構成可能である。
【００２０】
外層１１２は収縮包装を含んでもよく、例えば、付加的な酸素バリア特性を与える為にポリエチレンテレフタラートから、或いは付加的な防湿バリア特性を与える為にポリエチレンから成る。材料は共に満足のいくグラフィックス保持物としての役割も果たす。容器の１つの実施の形態ではポリ塩化ビニルの収縮包装１１２が使用され、上記ポリ塩化ビニルの収縮包装１１２は、グラフィックス保持物として使用される際に付加的な光バリア特性を付加し、また付加的な防湿バリア特性も幾らか付加する。
【００２１】
入れ物１００又は外層１１２に使用される満足のいく材料のリストは網羅的ではない。むしろ、成形と剛性とグラフィックスの望ましい特性に加えて、充分なバリア特性を提供する当該技術分野で使用可能な任意の材料を組み合わせて使用できる。
【００２２】
製造コストと複雑さを更に低減させる為に、図１ｂに示す実施の形態が図示するのは、外層１１２がキャップ１１０の上端１１０ａ及び容器の下部や底面１０４以外の全てを覆うように包んでいる状態である。キャップの上部１１０ａと容器の下部１０４を包まないことで、外層収縮包装１１２の応用例は簡素になり容器ごとに要する材料が低減する。本設計の外層が備えるバリア特性の損失の可能性は最小限であり、これは、容器の下部１０４は一般に硬い面に載っており、少なくとも開封されるまでは実質的なバリア特性をそれ自身が備える取り外し可能なシールを容器の口１０２が更に実装しているからである。一方で、外層１１２は入れ物１００のみを包んでいるので、更に製造コストが下がる。
【００２３】
販売可能な本発明の実施の形態では、入れ物１００の高さは開口端１０２から下部１０４までが約６．６３インチである。入れ物１００の最大寸法の直径は中央セクション１０６の上下で約２．７５インチである。処理ラインを進行する際や陳列棚に積み重ねる際や出荷に向け包装する際に、各容器の重心の上下両方において容器同士の接触を可能にすることで、隣接容器間同士が支持されるよう、中央セクション１０６の上下の容器の最大円周は同一であるべきである。隣接容器の下部及び上部での接触は容器接触時に容器の安定性を助ける。中央セクション１０６の最小円周は、販売可能な本実施の形態では、約２．４インチである。本実施の形態の開口端１０２に重ねられるキャップ１１０付き容器の合計の高さは７．８４インチである。上記の寸法は２０オンスのソフトドリンク自動販売機からの容器の販売に適している。
【００２４】
図１ａに示すように、キャップ１１０に適切に重ねられる為にかつ開口端１０２からキャップ１１０や他の入れ物へとあける機能を備える為に、開口端１０２は若干先細になっている。更に、先細の形状は商品が開口端１０２から意図せずにこぼれることを防止するのに役立つ。
【００２５】
図２ａ及び図２ｂは消費者に使用されている場合の容器を示す。最初に、キャップ２１０を回しキャップ２１０と開口端２０２の下のリム２１４との交差部分の外層を破ることにより、消費者はキャップ２１０を外す。キャップ２１０を取り外すことで、開口端２０２に付けられたシール２２０が現れる。露出したタブ２２２を引っ張られシール２２０は外される。
【００２６】
シール２２０が外されると、パフコーンスナック２３０等の容器の内容がキャップ２１０へとあけられる。商品２３０は消費者の口に直接あけることもできる。容器を際密封する為に、キャップ２１０は再び開口端２０２に重ねられる。
【００２７】
容器は図３に図示するように便利に片手で使用できるよう設計される。充填されると、容器の開口端３０２に反転キャップ３１０がはめ込み可能になり、従って商品３３０を食べる為の保持と容器の密封が共になされる。販売可能な容器の設計は２０オンスのソフトドリンクのびんに厳密に近付くので、消費者が反転キャップ３１０から商品３３０を一方の手で取る間、容器はもう一方の手で保持可能である。消費者が反転キャップ３１０の商品３３０を食べている間、容器は乗り物の内部の一般的なカップホルダに配置することもできる。
【００２８】
キャップの別の機能により、キャップは容器の下部に保管可能になる。図４に容器の底面に重ねあわされているキャップ４１０を示して上記を図示する。本構成では、消費者はキャップ４１０の保持又は取り出し後のキャップ４１０の置き場所と容器の際密封について悩まずに、消費者の口に直接、又は手や他の容器に商品をあけることができる。
【００２９】
図５は本発明の１つの実施の形態における他の特徴を図示する。特に、本キャップ設計に従う包装効率を図示する為に３つのキャップ５０９、５１０、５１１が一緒に積み重ねられて示される。特に、キャップの解放端周囲のカラー（中央のキャップ５１０のそれのみ見えている部分）が、製造後と入れ物への取り付け前におけるキャップの積み重ねと取り出しを容易にする。本カラーは、カップを互いにくっつかせずにカップの自動積み重ねを促進し、個々のキャップのフープ強度を高める。更に、本発明の入れ物部分の製造に関して述べたものと同様の材料と方法でキャップが製造可能であることがわかる。
【００３０】
図示された実施の形態は一般に円筒形状に関わる。しかし、了承されるべきなのは、本発明は任意の数の形状からも構成し得る点である。例えば、積み重ね可能なトルティーヤチップを収容する為に三角形の形状が入れ物に使用され得る。正方形や長方形の形状も正方形のクラッカーや他の同様な商品を収容する為に使用され得る。同様に、形作られて揚げられ積み重ねられたポテトチップの形状に更に厳密に近付く為には、円形に対し、楕円形の形状で入れ物を構成する方が望ましい場合もある。これまでに述べた重ねと密封とはめ込みの機能を備える為に、キャップの形状は入れ物の形状に対応するよう調整可能である。更に、容器は他の設計のキャップと容器の開口端を有することができ、上記設計には上端が収束された切妻状部分を有するカートンタイプの開口部が含まれる。本発明の他の代替の実施の形態の例は、任意の数の組み合わせで組み込み可能な主に容器とキャップの様々な設計を図示して図６ａ、図６ｂ、図６ｃ、図６ｄ、図７ａ、図７ｂ、図７ｃ、図８ａ、図８ｂ、図８ｃに示される。
【００３１】
切妻状部分を有するカートン形状の実施の形態が図６ａ〜図６ｄに示される。本容器は再び、代替の円筒形の実施の形態に関してこれまでに述べた入れ物とグラフィックス外層から構成可能である。同様に、容器そのものの形状は、様々な商品を収容する為に、或いは様々なマーケティングの検討事項を向上させる為に、主に図示のように正方形であったり、円筒形や三角形や他の任意の数の形状であってもよい。一方で本実施の形態に図示する別例は切妻状部分を有するカートン型上部６５０である。本上部はタブ付きの２つの密封部材６５２、６５４を引き離すことで開封される。２つの密封部材６５２、６５４を引っ張って開封する上記動作は図６ｂ、図６ｃに示される。切妻状部分を有するカートン型上部６５０が開封されると、図６ｄに図示されるように商品６３０が食べる為にあけられる。
【００３２】
図７ａ〜図７ｃは剥離して開封されるタブ７６２付きの正方形に形成された容器の他の別例を示し、上記タブ７６２はキャップ７６０を容器上部で密封する。商品を手に取る為に、図７ｂに示されるように消費者は取り外し可能なプルタブと密封部分７６２を引きはがしキャップ７６０を外す。キャップ７６０を外すことにより、図７ｃに示されるように消費者は商品７３０を手に取れる。本実施の形態のキャップ７６０は容器の上にカチッとはめ込むことができ、容器の開口の形を定めるリッジ７６４に重ねられる。
【００３３】
図８ａ〜図８ｃは、パチンと取り外せる蓋８７０を実装する正方形に形成された容器の他の別例を示す。上記のパチンと取り外せる蓋８７０は、図８ｂに示されるように一体化されたタブ８７２を上向きに押されることで容器から外される。これによりシール８２０が現れ、シール８２０はタブ８２２要素を引っ張ることで次に取り外し可能である。キャップ８７０とシール８２０が容器から外されていると、図８ｃに示されるように商品８３０が容器から分配可能になる。
【００３４】
上述された代替の容器の実施の形態は全て、容器の形状全般に対応する形状の多機能のキャップを組み込み可能である。例えば、図７ａと図８ａに図示された正方形の容器形状には多機能のキャップが使用でき、上記多機能のキャップは、容器の口に重ねられる為、かつ反転されたときに容器の口にはめ込まれる為、かつ容器の下部での保管の為に重ねられる為に、同様な正方形の形状をとる。更に、特定の容器形状とキャップ設計の説明は本発明を制限しておらず、消費者にとって最も有用な単純設計という目的に的を絞っている。
【００３５】
本発明は望ましい実施の形態に関して特に示され記載されたが、本発明の精神と範囲から外れることなく様々な別例が実施可能である。
【図面の簡単な説明】
【図１ａ】本発明における円筒状容器の一実施の形態を示す斜視図。
【図１ｂ】本発明における円筒状容器の一実施の形態を示す斜視図。
【図２ａ】多機能のキャップの取り外す状態を示す斜視図。
【図２ｂ】多機能のキャップに製品を投入する状態を示す斜視図。
【図３】キャップが反転され容器の開口端にはめ込まれている状態を示す斜視図。
【図４】キャップが容器の底面に重ねられた状態を示す斜視図。
【図５】複数のキャップが重ね合わされた状態を示す斜視図。
【図６ａ】上端が収束された容器を採用した別例を示す斜視図。
【図６ｂ】上端が収束された容器の使用方法を示す斜視図。
【図６ｃ】上端が収束された容器の使用方法を示す斜視図。
【図６ｄ】上端が収束された容器の使用方法を示す斜視図。
【図７ａ】引きはがして開封されるタブと正方形状の容器とを採用した別例を示す斜視図。
【図７ｂ】正方形状の容器からタブを引きはがす状態を示す斜視図。
【図７ｃ】正方形状の容器の使用方法を示す斜視図。
【図８ａ】引き上げ式キャップと正方形容器とを採用した別例を示す斜視図。
【図８ｂ】正方形状の容器からキャップを離脱させる状態を示す斜視図。
【図８ｃ】正方形状の容器の使用方法を示す斜視図。
【国際公開パンフレット】
2004510639.tif 000003
2004510639.tif 000004
2004510639.tif 000005
2004510639.tif 000006
2004510639.tif 000007
2004510639.tif 000008
2004510639.tif 000009
2004510639.tif 000010
2004510639.tif 000011
2004510639.tif 000012
2004510639.tif 000013
2004510639.tif 000014
2004510639.tif 000015
2004510639.tif 000016
2004510639.tif 000017
2004510639.tif 000018
2004510639.tif 000019
2004510639.tif 000020
2004510639.tif 000021
2004510639.tif 000022
2004510639.tif 000023
2004510639.tif 000024
2004510639.tif 000025
2004510639.tif 000026
2004510639.tif 000027
【国際公開パンフレット（コレクトバージョン）】
2004510639.tif 000028
2004510639.tif 000029
【国際調査報告】
2004510639.tif 000030
2004510639.tif 000031
2004510639.tif 000032